【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
液晶を挟んで対向配置される一対の基板の内の一方の基板に、複数の画素領域を形成し、当該画素領域内に画素電極と対向電極とを備え、前記対向電極と前記画素電極は絶縁膜を介して形成されている液晶表示装置であって、
前記各画素領域の画素電極は、第１の画素電極と第２の画素電極からなり、
前記画素領域には、更に、当該画素領域に映像信号を供給するドレイン信号線に接続された第１のスイッチング素子と第２のスイッチング素子を備え、
前記第１の画素電極は前記第１のスイッチング素子に接続され、前記第２の画素電極は前記第２のスイッチング素子に接続され、
前記第１及び第２の画素電極は交互に配置されていることを特徴とする液晶表示装置。
【請求項２】
前記第１及び第２のスイッチング素子は共通のゲート信号線からの信号によってオンするように構成されていることを特徴とする請求項１に記載の液晶表示装置。
【請求項３】
前記第１及び第２の画素電極のうち一方の画素電極は、前記画素領域を挟んで配置される一方のドレイン信号線に各電極を共通に接続する導電体が隣接して配置される櫛歯状のパターンをなすとともに、他方の画素電極は他方のドレイン信号線に各電極を共通に接続する導電体が隣接して配置される櫛歯状のパターンをなすことを特徴とする請求項１に記載の液晶表示装置。
【請求項４】
前記各画素領域の対向電極は、ゲート信号線を間にして隣接する他の画素領域に配置される他の対向電極と、前記ゲート信号線をも被って形成される絶縁膜上に形成された導電層を介して互いに電気的に接続されていることを特徴とする請求項１に記載の液晶表示装置。
【請求項５】
２個の薄膜トランジスタが隣接して各画素に備えられるものであって、
各薄膜トランジスタの半導体層を共通とし、この半導体層の上面に、各薄膜トランジスタのそれぞれのドレイン電極が帯状をなし、それが湾曲されて、それと一対の電極を構成するソース電極の先端部を中心とした半円弧状をなすとともに、
一方の薄膜トランジスタのドレイン電極は他方の薄膜トランジスタのドレイン電極と互いに隣接する箇所において物理的に共通接続され、その共通接続された部分における幅は該部分以外の箇所の幅と同じになっていることを特徴とする液晶表示装置。
【請求項６】
液晶を挟んで対向配置される一対の基板の内の一方の基板に、複数のゲート信号線とドレイン信号線の交差によって定義される複数の画素領域を形成し、当該各画素領域に画素電極と対向電極を備え、前記対向電極と前記画素電極は絶縁膜を介して形成されている液晶表示装置であって、
前記各画素領域の対向電極は、前記ドレイン信号線とゲート信号線に接しないように矩形状に形成され、
前記各画素領域の画素電極は、第１の画素電極と第２の画素電極からなり、
前記画素領域には、更に、当該画素領域に映像信号を供給するドレイン信号線に接続された第１のスイッチング素子と第２のスイッチング素子を備え、
前記第１及び第２の画素電極は交互に配置され、
かつ、前記第１及び第２の薄膜トランジスタは共通の半導体層を有し、前記半導体層の上面に、前記半導体層と前記第１の画素電極を接続する第１のソース電極と、前記半導体層と前記第２の画素電極を接続する第２のソース電極と、前記第１のソース電極と対を成す第１のドレイン電極と、前記第１のソース電極と対を成す第２のドレイン電極を備えたことを特徴とする液晶表示装置。
【請求項７】
前記第１及び第２のドレイン電極は、前記第１及び第２のソース電極の先端部を中心とした半円弧状をなすとともに、前記第１及び第２のドレイン電極は、互いに隣接する箇所において物理的に共通接続されていることを特徴とする請求項６に記載の液晶表示装置。
【請求項８】
前記第１及び第２のドレイン電極の共通接続された部分における幅は、該部分以外の箇所の幅と同じになっていることを特徴とする請求項７に記載の液晶表示装置。
【手続補正２】
【補正対象書類名】明細書
【補正対象項目名】００１５
【補正方法】変更
【補正の内容】
【００１５】
（１）
本発明による液晶表示装置は、たとえば、液晶を挟んで対向配置される一対の基板の内の一方の基板に、複数の画素領域を形成し、当該画素領域内に画素電極と対向電極とを備え、前記対向電極と前記画素電極は絶縁膜を介して形成されている液晶表示装置であって、
前記各画素領域の画素電極は、第１の画素電極と第２の画素電極からなり、
前記画素領域には、更に、当該画素領域に映像信号を供給するドレイン信号線に接続された第１のスイッチング素子と第２のスイッチング素子を備え、
前記第１の画素電極は前記第１のスイッチング素子に接続され、前記第２の画素電極は前記第２のスイッチング素子に接続され、
前記第１及び第２の画素電極は交互に配置されていることを特徴とする。
【手続補正３】
【補正対象書類名】明細書
【補正対象項目名】００１６
【補正方法】変更
【補正の内容】
【００１６】
（２）
本発明による液晶表示装置は、たとえば、（１）の構成を前提とし、前記第１及び第２のスイッチング素子は共通のゲート信号線からの信号によってオンするように構成されていることを特徴とする。
【手続補正４】
【補正対象書類名】明細書
【補正対象項目名】００１７
【補正方法】変更
【補正の内容】
【００１７】
（３）
本発明による液晶表示装置は、たとえば、（１）の構成を前提とし、前記第１及び第２の画素電極のうち一方の画素電極は、前記画素領域を挟んで配置される一方のドレイン信号線に各電極を共通に接続する導電体が隣接して配置される櫛歯状のパターンをなすとともに、他方の画素電極は他方のドレイン信号線に各電極を共通に接続する導電体が隣接して配置される櫛歯状のパターンをなすことを特徴とする。
【手続補正５】
【補正対象書類名】明細書
【補正対象項目名】００１８
【補正方法】変更
【補正の内容】
【００１８】
（４）
本発明による液晶表示装置は、たとえば、（１）の構成を前提とし、前記各画素領域の対向電極は、ゲート信号線を間にして隣接する他の画素領域に配置される他の対向電極と、前記ゲート信号線をも被って形成される絶縁膜上に形成された導電層を介して互いに電気的に接続されていることを特徴とする。
【手続補正６】
【補正対象書類名】明細書
【補正対象項目名】００２０
【補正方法】変更
【補正の内容】
【００２０】
（６）
本発明による液晶表示装置は、たとえば、液晶を挟んで対向配置される一対の基板の内の一方の基板に、複数のゲート信号線とドレイン信号線の交差によって定義される複数の画素領域を形成し、当該各画素領域に画素電極と対向電極を備え、前記対向電極と前記画素電極は絶縁膜を介して形成されている液晶表示装置であって、
前記各画素領域の対向電極は、前記ドレイン信号線とゲート信号線に接しないように矩形状に形成され、
前記各画素領域の画素電極は、第１の画素電極と第２の画素電極からなり、
前記画素領域には、更に、当該画素領域に映像信号を供給するドレイン信号線に接続された第１のスイッチング素子と第２のスイッチング素子を備え、
前記第１及び第２の画素電極は交互に配置され、
かつ、前記第１及び第２の薄膜トランジスタは共通の半導体層を有し、前記半導体層の上面に、前記半導体層と前記第１の画素電極を接続する第１のソース電極と、前記半導体層と前記第２の画素電極を接続する第２のソース電極と、前記第１のソース電極と対を成す第１のドレイン電極と、前記第１のソース電極と対を成す第２のドレイン電極を備えたことを特徴とする。
（７）
本発明による液晶表示装置は、例えば（６）の構成を前提とし、前記第１及び第２のドレイン電極は、前記第１及び第２のソース電極の先端部を中心とした半円弧状をなすとともに、前記第１及び第２のドレイン電極は、互いに隣接する箇所において物理的に共通接続されていることを特徴とする。
（８）
本発明による液晶表示装置は、例えば（７）の構成を前提とし、前記第１及び第２のドレイン電極の共通接続された部分における幅は、該部分以外の箇所の幅と同じになっていることを特徴とする。